(57)【要約】【課題】簡単な構造で蓋体の開放と同時に中蓋も開放することが可能であり、また生産性も良好な化粧料容器を提供する。【解決手段】収納部２を有する容器本体３と、容器本体に蝶番４を介して回動自在に連結され当該容器本体を開閉する蓋体５と、容器本体と蓋体との間に設けられ、これらを互いに係脱自在に係止して容器本体に対して蓋体を閉止状態とするフック手段と、化粧料Ｐを収納する中皿７および当該中皿を開閉すべくこれにヒンジを介して連結された中蓋９を有し、収納部に収納されるレフィル容器と、中皿と中蓋との間に設けられ、これらを互いに係脱自在に係合して中皿に対して中蓋を閉止状態とする閉止手段と、中蓋に一体的に形成された突部１２と、蓋体に一体的に弾性変形自在に形成され、蓋体の閉止操作で突部に弾性変形しつつこれを乗り越えて係合し、かつ蓋体の開放操作で突部を押し上げて閉止手段を離脱させる操作片１３とを備えた。【選択図】図４
2005095476.tif 000002
【特許請求の範囲】
【請求項１】
収納部を有する容器本体と、該容器本体に蝶番を介して回動自在に連結され当該容器本体を開閉する蓋体と、上記容器本体と上記蓋体との間に設けられ、これらを互いに係脱自在に係止して該容器本体に対して該蓋体を閉止状態とするフック手段と、化粧料を収納する中皿および当該中皿を開閉すべくこれにヒンジを介して連結された中蓋を有し、上記収納部に収納されるレフィル容器と、上記中皿と上記中蓋との間に設けられ、これらを互いに係脱自在に係合して該中皿に対して該中蓋を閉止状態とする閉止手段と、上記中蓋に一体的に形成された突部と、上記蓋体に一体的に弾性変形自在に形成され、該蓋体の閉止操作で上記突部に弾性変形しつつこれを乗り越えて係合し、かつ該蓋体の開放操作で該突部を押し上げて上記閉止手段を離脱させる操作片とを備えたことを特徴とする化粧料容器。
【請求項２】
前記操作片は前記蓋体の閉止操作で、前記フック手段が係止するのと同時に前記突部に係合されることを特徴とする請求項１に記載の化粧料容器。
【発明の詳細な説明】
【技術分野】
【０００１】
本発明は、蓋体で開閉される容器本体内に、化粧料を収納する中皿およびこれを開閉する中蓋からなるレフィル容器を収容し、使用する際には、蓋体と中蓋とを一挙に開くことができるようにした化粧料容器において、簡単な構造で蓋体の開放と同時に中蓋も開放することが可能であり、また生産性も良好な化粧料容器に関する。
【背景技術】
【０００２】
蓋体で開閉される容器本体内に、化粧料を収納する収納部や中皿を開閉する中蓋を設けるようにし、使用する際には、蓋体と中蓋を一挙に開くことができるようにした化粧料容器として、例えば特許文献１〜４が知られている。
【０００３】
特許文献１では、外蓋に突設した第１フックを、容器本体の前端中央部に設けた第１凸部に係脱可能に係合し、容器本体内に仕切り壁によって化粧皿を隔成し、化粧皿に内蓋を設け、内蓋に突設した第２フックを、仕切り壁の凹部に設けた第２凸部に係脱可能に係合するとともに、第１凸部の下方から第２凸部の下方に亘って形成した通孔部にプッシュピースを挿入し、プッシュピースの前端部に設けた操作部を押込むことにより、第１解除部で第１フックの係合状態を解除すると共に、第２解除部で第２フックの係合状態を解除するようにしている。
【０００４】
特許文献２では、外蓋に突設した第１フックを容器本体に係脱可能に係合し、脱着収納部に収納するレフィル容器の内蓋に垂設した第２フックを、皿部本体の第２凸部に係脱可能に係合し、容器本体の凹設部に、プッシュピースの上端部を回動可能に設け、プッシュピースの下端部に操作部を設け、上端部に水平方向に突出する第１解除部および第２解除部を設け、第１解除部を凹設部内に収まる長さに設定して、先端部を外蓋の下面に配置し、第２解除部を凹設部の上側に形成した切欠部を通ってレフィル容器の皿部本体まで達する長さに設定するとともに、先端部を内蓋の下面に配置するようにしている。
【０００５】
特許文献３では、容器本体の側壁の前端部中央部分に形成した切欠部に、プッシュピースを前後方向に出没可能に配置し、外蓋の内側面に第１係合凸部を突設し、ピース本体部分の筒状部内側の後面に第２係合凸部を形成し、第１，第２係合凸部によって第１フックを構成し、内蓋の内側面に第３係合凸部を突設し、中皿に第４係合凸部を形成し、第３，第４係合凸部によって第２フックを構成するとともに、内蓋とプッシュピースとの間に、該プッシュピースの押し込み方向の移動を内蓋の持ち上げ方向の運動に変換する中間ピースを介在するようにしている。
【０００６】
特許文献４では、外蓋の内側面に突設した第１係合凸部と、プッシュピースのピース本体部分に形成した第２係合凸部とによって第１フックを構成し、内蓋の内側面に突設した第３係合凸部と、中皿に形成した第４係合凸部とによって第２フックを構成し、容器本体の収納部内に中皿を着脱可能に収納し、容器本体の側壁に形成した切欠部にプッシュピースを前後移動可能に配置するとともに、内蓋とプッシュピースとの間に中間ピースを介在し、プッシュピースの押し込み方向の移動を内蓋の持ち上げ方向の運動に変換するようにし、中間ピースを中枠に折曲自在な連結部を介して一体に結合するようにしている。
【特許文献１】特開平９−９８８２８号公報
【特許文献２】特開平１０−３３２５９号公報
【特許文献３】特開平１０−２３４４６３号公報
【特許文献４】特開平１１−２０６４４６号公報
【発明の開示】
【発明が解決しようとする課題】
【０００７】
ところで、上記いずれの特許文献にあっても、蓋体を開くのに使用するプッシュピースを利用して中蓋を開放するようにしていたため、プッシュピース自体の構造も、そしてまたこれが装着される容器本体の構造も複雑になってしまい、従って化粧料容器の生産性が良くないという課題があった。
【０００８】
本発明は上記従来の課題に鑑みて創案されたものであって、蓋体で開閉される容器本体内に、化粧料を収納する中皿およびこれを開閉する中蓋からなるレフィル容器を収納するようにし、使用する際には、蓋体と中蓋を一挙に開くことができるようにした化粧料容器において、簡単な構造で蓋体の開放と同時に中蓋も開放することが可能であるとともに、また生産性も良好な化粧料容器を提供することを目的とする。
【課題を解決するための手段】
【０００９】
本発明にかかる化粧料容器は、収納部を有する容器本体と、該容器本体に蝶番を介して回動自在に連結され当該容器本体を開閉する蓋体と、上記容器本体と上記蓋体との間に設けられ、これらを互いに係脱自在に係止して該容器本体に対して該蓋体を閉止状態とするフック手段と、化粧料を収納する中皿および当該中皿を開閉すべくこれにヒンジを介して連結された中蓋を有し、上記収納部に収納されるレフィル容器と、上記中皿と上記中蓋との間に設けられ、これらを互いに係脱自在に係合して該中皿に対して該中蓋を閉止状態とする閉止手段と、上記中蓋に一体的に形成された突部と、上記蓋体に一体的に弾性変形自在に形成され、該蓋体の閉止操作で上記突部に弾性変形しつつこれを乗り越えて係合し、かつ該蓋体の開放操作で該突部を押し上げて上記閉止手段を離脱させる操作片とを備えたことを特徴とする。
【００１０】
また、前記操作片は前記蓋体の閉止操作で、前記フック手段が係止するのと同時に前記突部に係合されることを特徴とする。
【発明の効果】
【００１１】
本発明にかかる化粧料容器にあっては、蓋体で開閉される容器本体内に、化粧料を収納する中皿およびこれを開閉する中蓋からなるレフィル容器を収納するようにし、使用する際には、蓋体と中蓋を一挙に開くことができるようにした化粧料容器において、簡単な構造で蓋体の開放と同時に中蓋も開放することができるとともに、良好な生産性で製造することができる。
【発明を実施するための最良の形態】
【００１２】
以下に、本発明にかかる化粧料容器の好適な一実施形態を、添付図面を参照して詳細に説明する。本実施形態にかかる化粧料容器１は図１〜図６に示すように、基本的には、収納部２を有する容器本体３と、容器本体３に蝶番４を介して回動自在に連結され当該容器本体３を開閉する蓋体５と、容器本体３と蓋体５との間に設けられ、これらを互いに係脱自在に係止して容器本体３に対して蓋体５を閉止状態とするフック手段６と、化粧料Ｐを収納する中皿７および当該中皿７を開閉すべくこれにヒンジ８を介して連結された中蓋９を有し、収納部２に収納されるレフィル容器１０と、中皿７と中蓋９との間に設けられ、これらを互いに係脱自在に係合して中皿７に対して中蓋９を閉止状態とする閉止手段１１と、中蓋９に一体的に形成された突部１２と、蓋体５に一体的に弾性変形自在に形成され、蓋体５の閉止操作で突部１２に弾性変形しつつこれを乗り越えて係合し、かつ蓋体５の開放操作で突部１２を押し上げて閉止手段１１を離脱させる操作片１３とを備えて構成される。
【００１３】
化粧料容器１は主に、容器本体３と、蓋体５と、容器本体３内部に収納されるレフィル容器１０とから構成される。容器本体３は合成樹脂材で形成され、図示例にあっては、底壁３ａの周縁にその周方向に沿って周壁３ｂが立設されて、平面外形輪郭が矩形状に形成されている。容器本体３の平面外形輪郭は、矩形状に限らず、オーバル形状や多角形状、円形状など、その他の形態であっても良い。そして周壁３ｂによって囲まれた容器本体３内部には、その中央位置に指掛け部１４ａが窪ませて形成された仕切り壁部１４が前後方向に形成され、この仕切り壁部１４により右側にパフ１５などを収納する化粧具収納部１６が、そしてまた左側にレフィル容器１０を収納する収納部２が形成されている。
【００１４】
蓋体５も合成樹脂材で形成され、天板５ａの周縁にその周方向に沿って環状周壁５ｂが立設されて、容器本体３に合致する平面外形輪郭で皿状に形成される。天板５ａの裏面には、鏡板１７が取り付けられている。容器本体３の後部には、周壁３ｂの左右方向両端からそれぞれ外方へ突出させて、一対の蝶番片１８が形成される。また蓋体５の環状周壁５ｂには、これより蝶番片１８間に垂下させて、蝶番ブロック１９が形成される。そしてこれら蝶番ブロック１９と各蝶番片１８との間にはそれぞれ、ピン孔２０を介して蝶番ピンが挿入され、これにより蝶番片１８に蝶番ブロック１９を回動自在に連結する蝶番４が構成される。そしてこの蝶番４により、容器本体３を開閉すべく蓋体５が回動されるようになっている。
【００１５】
他方、容器本体３の前部には、周壁３ｂの左右方向中央部位置に当該周壁３ｂの上面を下方へ、そして前面を後方へ窪ませることでフックスペース２１が形成され、このフックスペース２１内には係止突起２２が形成される。また蓋体５の環状周壁５ｂには、係止突起２２に係脱自在に係止されるフック片２３がフックスペース２１に向かって垂下させて形成される。そしてこれらフック片２３と係止突起２２とにより、フック片２３をフックスペース２１内に挿入して係止突起２２に係止させることで容器本体３に対して蓋体５を閉止状態とするフック手段６が構成される。フック手段６の係止を外す場合には、フックスペース２１内のフック片２３に手指を掛けて引き上げ、これにより係止突起２２から離脱させるようになっている。
【００１６】
レフィル容器１０は主に、合成樹脂製の中皿７と中蓋９とから構成され、それ自体単独で化粧料容器としても使用できる。中皿７は、その内部に化粧料Ｐを収納できるように、底部７ａ周縁から側壁７ｂが立設されて器状に形成される。またこの中皿７の平面外形輪郭は、収納部２の平面形状に合わせて形成される。他方、中蓋９は、側壁７ｂで囲まれた中皿７の開口部７ｃを覆う平板部９ａと、この平板部９ａから垂下されて開口部７ｃに気密に嵌合する環状リブ９ｂとから構成される。
【００１７】
また中皿７の左側には、側壁７ｂから外方へ突出させて前後一対のヒンジ片２４が形成されるとともに、中蓋９にはこれよりヒンジ片２４間に突出させてヒンジブロック２５が形成され、これらヒンジブロック２５からヒンジ片２４にわたってヒンジピン２６が挿入されることにより、中皿７にこれを開閉する中蓋９を回動自在に連結するヒンジ８が構成される。またレフィル容器１０を収納する容器本体３の左側には、周壁３ｂにヒンジ８を装着する装着スペース２７が形成される。ヒンジ８はこの装着スペース２７を利用して、ヒンジピン２６の高さ位置が周壁３ｂの上面位置かあるいはこれよりも僅かに高い位置になるようにして、収納部２よりも外側の容器本体３の周壁３ｂに組み込まれる。
【００１８】
また、ヒンジ８とは反対側となる中皿７の右側には、側壁７ｂ中央から外方へ突出させて閉止突起２８が形成される。また中蓋９には、平板部９ａ右端中央に外方へ突出させて鍔部２９が形成され、この鍔部２９には、閉止突起２８に係脱自在に係合される垂下片３０が形成される。そしてこれら閉止突起２８と垂下片３０とにより、中蓋９を閉じて閉止突起２８に垂下片３０を係合させることで中皿７に対して中蓋９を閉止状態とする閉止手段１１が構成される。さらに、中皿７の左右には側壁７ｂを窪ませて、容器本体３左側の周壁３ｂおよび仕切り壁部１４から収納部２内に突出形成された保持凸部３１に係脱自在に係合する保持凹部３２が形成され、保持凸部３１に保持凹部３２を係合することによりレフィル容器１０全体が収納部２内に着脱自在に保持されるようになっている。
【００１９】
他方、蝶番ブロック１９に近接する中蓋９の後部には、これと一体的に相当の剛性を有する突部１２が垂下形成されるとともに、中皿７の後部には、側壁７ｂを窪ませて突部１２を収容する凹陥部３３が形成される。また蝶番ブロック１９が形成された蓋体５の後部には、突部１２位置に対応させて、これと一体的に操作片１３が弾性変形自在に形成され、この操作片１３は蓋体５の開閉操作にしたがって上下に移動されるようになっている。さらに容器本体３の後部には、突部１２や操作片１３に対応する幅で切り欠く形態で、収納部２を容器本体３後方に向かって露出させ、これにより収納部２にレフィル容器１０を装着した状態で、その突部１２を操作片１３に臨ませる凹部３４が形成される。
【００２０】
操作片１３は、蓋体５から垂下された弾性変形自在な垂下部１３ａと、垂下部１３ａ下端に形成され、蓋体５の閉止状態で突部１２直下に位置される押上凸部１３ｂとから構成される。そしてこの操作片１３は、蓋体５の開放操作にしたがって上方へ移動し、押上凸部１３ｂで突部１２を押して中蓋９を上方へ押し上げ、これにより閉止手段１１を離脱させ、その後凹部３４から抜け出した状態となる。また操作片１３は、蓋体５の閉止操作にしたがって下方へ移動して凹部３４内に進入し、この際、押上凸部１３ｂが突部１２の直下に係合する寸法の関係上、垂下部１３ａは押上凸部１３ｂが当接する突部１２によって蝶番ブロック１９側へと弾性変形されることとなり、この垂下部１３ａの弾性変形を伴って押上凸部１３ｂは突部１２を乗り越えてその直下へと潜り込んで係合されるようになっている。蝶番ブロック１９には、操作片１３の蝶番ブロック１９側への弾性変形を許容する凹所３６が形成される。
【００２１】
特に、突部１２の垂下量は、蓋体５の閉止操作において、フック手段６が係止されると同時か、あるいはその直前で突部１２を乗り越えて押上凸部１３ｂが係合する寸法に設定され、これによりフック手段６が係止するのとほぼ同時に操作片１３が突部１２に係合されるようになっている。
【００２２】
このように構成された本実施形態にかかる化粧料容器１の作用について説明すると、レフィル容器１０を容器本体３内に収納する際には、ヒンジ８を左方へ向けて、収納部２へと押し込む。押し込むと、中皿７の保持凹部３２が容器本体３の保持凸部３１に係合されてレフィル容器１０は収納部２内に固定的に保持されるとともに、これに伴って、ヒンジ８は装着スペース２７に装着され、そしてまた閉止手段１１は、指を掛けてレフィル容器１０を取り外すときに利用される仕切り壁部１４の指掛け部１４ａに位置される。この際、蓋体５は開かれているので、操作片１３は凹部３４から抜け出した状態にある。
【００２３】
このようにしてレフィル容器１０を容器本体３に装着した後、蓋体５を閉じていくと図５に示すように、操作片１３は突部１２によって弾性変形されつつ凹部３４へと進入していき、そしてフック手段６が係止される直前あるいは係止されると同時に、操作片１３の押上凸部１３ｂが突部１２の直下に係合される。これにより蓋体５は容器本体３を閉止した状態となる。
【００２４】
次いで、化粧料Ｐを使用するために、フック手段６を外して蓋体５を開いていくと図６に示すように、これに伴って操作片１３が上方へ移動し、この際、押上凸部１３ｂによって突部１２が押し上げられて中蓋９の垂下片３０が中皿７の閉止突起２８から離脱され、さらに蓋体５を回動していくと、操作片１３が突部１２から離脱する位置まで中蓋９が持ち上げられる。これにより、レフィル容器１０を開放するにあたり、中蓋９を予備的に開くことができる。
【００２５】
蓋体５を開放したならば、予備的に開かれた中蓋９を、ヒンジ８を介して容器本体３左方へと大きく開くことが可能となり、これによりレフィル容器１０内の化粧料Ｐを使用することができる。再度蓋体５を閉じる際には、まず中蓋９を閉じて中皿７に向かって押し付けることにより環状リブ９ｂを中皿７の開口部７ｃへ嵌合させる。その後は、レフィル容器１０の収納時と同様に、蓋体５を閉じてフック手段６で容器本体３に係止させれば、操作片１３の押上凸部１３ｂが突部１２の下方に係合されることとなる。
【００２６】
ところで、本実施形態にかかる化粧料容器１にあっては、容器本体３を開く際に回動される蓋体５とレフィル容器１０の中蓋９との間に、当該レフィル容器１０の閉止手段１１を離脱させる突部１２と操作片１３とを設けるようにしたので、プッシュピースを利用する場合に比べて、簡単な構造で蓋体５の開放と同時に中蓋９も開放することができる。また、突部１２も操作片１３も中蓋９や蓋体５に一体的に設けることができるので、従来のように別部品のプッシュピースを利用して中蓋をも開放すべく、当該プッシュピースやこれを組み込む容器本体の構造が複雑化してしまうことに比べて、中蓋９を開放する構造を化粧料容器１に簡易に備えることができ、その生産性を格段に向上することができる。
【００２７】
また、中皿７に気密に嵌合される中蓋９を予備的に開放するにあたり、当該中蓋９を開く際に必ず開放される蓋体５に操作片１３を形成し、この操作片１３の移動によって閉止手段１１の垂下部３０を閉止突起２８から離脱させるようにしたので、合理的に中蓋９の閉止状態を解除することができる。
【００２８】
さらに、蓋体５を閉止するためのフック手段６を係合させる動作および次回の中蓋９の開放を保証するために突部１２に操作片１３を係合させる動作については、これら動作が別々で時間差があると、閉止時の操作感が二重になり、またその際２回にわたる係止音が発生する、いわゆる二段動作となってしまって好ましくないが、本実施形態にあっては、突部１２の下端位置を、フック手段６が係止されると同時か、あるいはその直前で操作片１３が係合される位置に設定したので、２つの係止部分があっても一段動作を確保でき、化粧料容器１の操作性を維持することができる。
【図面の簡単な説明】
【００２９】
【図１】本発明にかかる化粧料容器の好適な一実施形態を示す分解斜視図である。
【図２】図１の化粧料容器の正面断面図である。
【図３】図１の化粧料容器の収納部位置での側断面図である。
【図４】図３の要部拡大側断面図である。
【図５】図１の化粧料容器の蓋体を閉じていく過程を示す要部拡大側断面図である。
【図６】図１の化粧料容器の蓋体を開いていく過程を示す要部拡大側断面図である。
【符号の説明】
【００３０】
１  化粧料容器                    ２  収納部
３  容器本体                      ４  蝶番
５  蓋体                          ６  フック手段
７  中皿                          ８  ヒンジ
９  中蓋                          １０  レフィル容器
１１  閉止手段                    １２  突部
１３  操作片                      Ｐ  化粧料
【図１】
2005095476.tif 000003
【図２】
2005095476.tif 000004
【図３】
2005095476.tif 000005
【図４】
2005095476.tif 000006
【図５】
2005095476.tif 000007
【図６】
2005095476.tif 000008